(57)【特許請求の範囲】
【請求項１】
帯状の台紙およびこの台紙上に仮着した複数枚のラベル片からなるラベル連続体の供給部および開閉軸を有するプリンター本体と、このプリンター本体に対して前記開閉軸のまわりにおいて回動して開閉することにより前記ラベル連続体の装填を可能とするカバーと、前記ラベル片上に印字を行うサーマルヘッドおよびプラテンを備えた印字機構と、前記ラベル片を前記台紙から剥離すべく台紙を転向させることができる剥離バー、およびこの剥離バーの下流側に位置して前記台紙のみを転向させる転向剥離用補助ローラーを備えた剥離機構と、を有するラベルプリンターにおいて、前記印字機構による前記ラベル連続体への印字ののちに、前記剥離機構により前記ラベル片を前記台紙から剥離して前記プリンター本体から排出発行する剥離発行と、前記ラベル片を前記台紙から剥離せずに排出発行する連続発行と、を切り替えるラベルプリンターの剥離発行・連続発行切替え装置であって、前記カバーは、これをオープンカバーおよび切替え操作部を備えた剥離カバーから構成するとともに、前記切替え操作部の操作により、前記剥離カバーを前記オープンカバーあるいは前記プリンター本体に選択的に係合する係合部を備えて、前記剥離発行および前記連続発行のいずれかの発行形態に切り替え可能な発行形態切替え機構を形成し、前記係合部を前記プリンター本体、このオープンカバーおよびこの剥離カバーにまたがって設け、かつ、転向剥離用補助ローラーを前記剥離カバーに取り付けるとともに、前記切替え操作部の操作により前記剥離カバーを前記オープンカバーに固定して一体に開閉可能とし、剥離カバーおよびオープンカバーを閉鎖すると前記ラベル連続体が前記剥離バーを経て転向剥離用補助ローラーにて前記プラテンに押し付けられて剥離発行の発行形態に切り替わり、また前記切替え操作部の操作により前記剥離カバーを前記プリンター本体に固定してオープンカバーのみを開閉可能とし、オープンカバーを開放してラベル連続体をプリンター本体の開放面に載置したのちオープンカバーを閉鎖すると連続発行に切り替わることを特徴とするラベルプリンターの剥離発行・連続発行切替え装置。
【請求項２】
前記印字機構は、プラテンローラーと、このプラテンローラーとの間に前記ラベル連続体を移送することにより印字を行うサーマルヘッドと、を有し、前記プラテンローラーおよび前記サーマルヘッドは、これを前記プリンター本体および前記オープンカバーのいずれか一方にそれぞれ取り付けたことを特徴とする請求項１記載のラベルプリンターの剥離発行・連続発行切替え装置。
【請求項３】
前記転向剥離用補助ローラーは、前記ラベル片を剥離した状態の前記台紙を前記印字機構におけるプラテンローラーとの間に挟んで移送可能であることを特徴とする請求項１記載のラベルプリンターの剥離発行・連続発行切替え装置。
【請求項４】
前記オープンカバーおよび前記剥離カバーは、前記ラベル連続体の移送方向に沿った開閉軸のまわりにこれを回動可能としたことを特徴とする請求項１記載のラベルプリンターの剥離発行・連続発行切替え装置。
【請求項５】
前記切替え操作部は、前記剥離カバーに設けたレバー回動軸に回動可能に取り付けた切替えレバーとするとともに、前記係合部は、この切替えレバーに形成したレバー側剥離発行用係合部およびレバー側連続発行用係合部であって、このレバー側剥離発行用係合部は前記オープンカバーに設けたカバー側剥離発行用係合部に係合可能であり、このレバー側連続発行用係合部は前記プリンター本体に設けた本体側連続発行用係合部に係合可能であることを特徴とする請求項１記載のラベルプリンターの剥離発行・連続発行切替え装置。
【請求項６】
前記切替え操作部は、前記剥離カバーに設けたつまみ回動軸に回動可能に取り付けた切替えつまみとするとともに、前記係合部は、この切替えつまみに形成したつまみ側切替え用係合部であって、このつまみ側切替え用係合部は、前記オープンカバーに設けたカバー側剥離発行用係合部、および前記プリンター本体に設けた本体側連続発行用係合部にそれぞれ係合可能であることを特徴とする請求項１記載のラベルプリンターの剥離発行・連続発行切替え装置。
【発明の詳細な説明】
【０００１】
【発明の属する技術分野】
本発明はラベルプリンターの剥離発行・連続発行切替え装置にかかるもので、とくに、ラベル連続体に各種の印字を行ってラベル片を剥離する「剥離発行」とするか、あるいは剥離せずにそのまま排出する「連続発行」とするようにしたラベルプリンターの剥離発行・連続発行切替え装置に関するものである。
【０００２】
【従来の技術】
従来のラベルプリンターは、帯状の台紙上に複数枚のラベル片を仮着した構成のラベル連続体を移送し、印字機構による印字ののち、剥離機構においてラベル片を台紙から剥離して排出発行する剥離発行と、ラベル片を台紙から剥離せずに排出発行する連続発行と、の移送形態ないし発行形態があり、ラベル発行の際にそれぞれの要請に応じて切り替えることが必要である。
しかしながら、それぞれの移送形態に応じて、帯状のラベル連続体をプリンター本体内におけるその移送通路に沿って装填する作業、すなわち、装填し直す作業（切替え作業）が面倒であるという問題がある。
【０００３】
とくに、こうした切替え作業は、ラベル片を商品などに貼付する小売り店のバックヤードや商品陳列場所などの実働現場において行うことが多く、簡単かつ確実に発行形態を切り替えることが要請されるものである。
【０００４】
【発明が解決しようとする課題】
本発明は以上のような諸問題にかんがみなされたもので、剥離発行および連続発行というラベル片の移送形態ないし発行形態の切替え作業を短時間で容易に行うことができるラベルプリンターの剥離発行・連続発行切替え装置を提供することを課題とする。
【０００５】
また本発明は、立ち作業あるいはその他の作業を行っていても、ラベル片の発行形態を簡単かつ確実に切り替えることができるラベルプリンターの剥離発行・連続発行切替え装置を提供することを課題とする。
【０００６】
また本発明は、プリンター本体に対するカバーの開閉状態を切り替えるだけでラベル片の発行形態を簡単に切り替えることができるラベルプリンターの剥離発行・連続発行切替え装置を提供することを課題とする。
【０００７】
【課題を解決するための手段】
すなわち本発明は、ラベル連続体を装填するプリンター本体に対して開閉するカバーをオープンカバーおよび剥離カバーに分割し、剥離発行あるいは連続発行の形態に応じて、これらオープンカバーおよび剥離カバーをそれぞれ一体状態あるいは分離状態とすること、この切替えのための発行形態切替え機構を設けることに着目したもので、帯状の台紙およびこの台紙上に仮着した複数枚のラベル片からなるラベル連続体の供給部および開閉軸を有するプリンター本体と、このプリンター本体に対して上記開閉軸のまわりにおいて回動して開閉することにより上記ラベル連続体の装填を可能とするカバーと、上記ラベル片上に印字を行うサーマルヘッドおよびプラテンを備えた印字機構と、上記ラベル片を前記台紙から剥離すべく台紙を転向させることができる剥離バー、およびこの剥離バーの下流側に位置して上記台紙のみを転向させる転向剥離用補助ローラーを備えた剥離機構と、を有するラベルプリンターにおいて、上記印字機構による上記ラベル連続体への印字ののちに、上記剥離機構により上記ラベル片を前記台紙から剥離して上記プリンター本体から排出発行する剥離発行と、上記ラベル片を前記台紙から剥離せずに排出発行する連続発行と、を切り替えるラベルプリンターの剥離発行・連続発行切替え装置であって、上記カバーは、これをオープンカバーおよび切替え操作部を備えた剥離カバーから構成するとともに、上記切替え操作部の操作により、上記剥離カバーを上記オープンカバーあるいは上記プリンター本体に選択的に係合する係合部を備えて、上記剥離発行および上記連続発行のいずれかの発行形態に切り替え可能な発行形態切替え機構を形成し、上記係合部を前記プリンター本体、このオープンカバーおよびこの剥離カバーにまたがって設け、かつ、転向剥離用補助ローラーを上記剥離カバーに取り付けるとともに、上記切替え操作部の操作により上記剥離カバーを上記オープンカバーに固定して一体に開閉可能とし、剥離カバーおよびオープンカバーを閉鎖すると上記ラベル連続体が上記剥離バーを経て転向剥離用補助ローラーにて上記プラテンに押し付けられて剥離発行の発行形態に切り替わり、また上記切替え操作部の操作により上記剥離カバーを上記プリンター本体に固定してオープンカバーのみを開閉可能とし、オープンカバーを開放してラベル連続体をプリンター本体の開放面に載置したのちオープンカバーを閉鎖すると連続発行に切り替わることを特徴とするラベルプリンターの剥離発行・連続発行切替え装置である。
【０００８】
上記印字機構は、プラテンローラーと、このプラテンローラーとの間に上記ラベル連続体を移送することにより印字を行うサーマルヘッドと、を有し、上記プラテンローラーおよび上記サーマルヘッドは、これを上記プリンター本体および上記オープンカバーのいずれか一方にそれぞれ取り付けることができる。
【００１１】
上記転向剥離用補助ローラーは、上記ラベル片を剥離した状態の上記台紙を上記印字機構におけるプラテンローラーとの間に挟んで移送可能であることができる。
【００１３】
上記オープンカバーおよび上記剥離カバーは、上記ラベル連続体の移送方向に沿った開閉軸のまわりにこれを回動可能とすることができる。
【００１５】
上記切替え操作部は、上記剥離カバーに設けたレバー回動軸に回動可能に取り付けた切替えレバーとするとともに、上記係合部は、この切替えレバーに形成したレバー側剥離発行用係合部（たとえば凹部）およびレバー側連続発行用係合部（たとえば凹部）であって、このレバー側剥離発行用係合部は上記オープンカバーに設けたカバー側剥離発行用係合部（たとえばピン）に係合可能であり、このレバー側連続発行用係合部は上記プリンター本体に設けた本体側連続発行用係合部（たとえばピン）に係合可能であることができる。
【００１６】
上記切替え操作部は、上記剥離カバーに設けたつまみ回動軸に回動可能に取り付けた切替えつまみとするとともに、上記係合部は、この切替えつまみに形成したつまみ側切替え用係合部（たとえば凸部）であって、このつまみ側切替え用係合部は、上記オープンカバーに設けたカバー側剥離発行用係合部（たとえば溝部）、および上記プリンター本体に設けた本体側連続発行用係合部（たとえば溝部）にそれぞれ係合可能であることができる。
【００１７】
本発明によるラベルプリンターの剥離発行・連続発行切替え装置においては、プリンター本体に開閉可能に取り付けたカバーをふたつに分割してオープンカバーおよび剥離カバーから構成するとともに、剥離発行および連続発行のいずれかの発行形態に切り替え可能な発行形態切替え機構の係合部を、プリンター本体、オープンカバーおよび剥離カバーにまたがって設けたので、この発行形態切替え機構の操作により、剥離カバーをオープンカバー側に固定した状態の剥離発行と、剥離カバーをプリンター本体側に固定した状態の連続発行とに切り替えることができる。すなわち、剥離発行とする場合には、剥離カバーをオープンカバー側に固定した状態でこれら剥離カバーおよびオープンカバーをプリンター本体に対して一体開放し、ラベル連続体をその供給部から繰り出して所定の移送路上にかぶせるように載置し、ふたたび剥離カバーおよびオープンカバーを閉鎖すれば、剥離機構が機能する移送路にラベル連続体をセットすることができる。したがって、ラベル連続体の移送および印字ののちに、剥離機構の作用により、台紙からラベル片を剥離することができる。一方、連続発行の場合には、剥離カバーをプリンター本体側に固定した状態で、したがってオープンカバーのみをプリンター本体に対して開放し、剥離発行の場合と同様に、ラベル連続体をその供給部から繰り出して所定の移送路上にかぶせるように載置し、ふたたびオープンカバーを閉鎖すれば、剥離機構が機能しない移送路にラベル連続体をセットすることができる。したがって、ラベル連続体の移送および印字ののちに、剥離機構が作用することはなく、ラベル片は台紙から剥離されずに台紙に仮着されたままプリンター本体外に排出発行されることになる。
【００１８】
要するに、作業者としては、発行切替え機構を操作するとともに、剥離発行の場合にはオープンカバーおよび剥離カバーを開閉し、また連続発行の場合にはオープンカバーのみを開閉するだけでよく、ラベル連続体を複雑な移送路内に装填する面倒なかつ注意力を要する操作を必要とせず、簡単かつ確実にラベル連続体の装填を行うことができる。
【００１９】
【発明の実施の形態】
つぎに本発明の実施の形態による剥離発行・連続発行切替え装置を有するラベルプリンター１について図１ないし図１２にもとづき説明する。
図１は、ラベルプリンター１の斜視図、図２は、同、平面図、図３は、同、正面図、図４は、同、側面図であって、ラベルプリンター１は、プリンター本体２と、オープンカバー３と、剥離カバー４と、を有する。
プリンター本体２は、操作パネル５と、受信モジュール６と、ベルト止め７（図４）と、を有する。受信モジュール６によりパソコンその他のデータ作成機（図示せず）からの印字情報を入力可能である。もちろん、テンキーその他の入力手段（図示せず）を装備することもできる。ベルト止め７を作業者のベルトなど（図示せず）に止めることによりラベルプリンター１を携帯式として使用可能である。
【００２０】
図５は、ラベルプリンター１におけるプリンター本体２、オープンカバー３および剥離カバー４のハウジング構成を示す分解斜視図であり、プリンター本体２は、本体ハウジング８と、バッテリーハウジング９と、トップハウジング１０と、を有する。
【００２１】
図６は、オープンカバー３および剥離カバー４をプリンター本体２に対して開放した状態を示す斜視図であって、オープンカバー３および剥離カバー４は、プリンター本体２の側面に設けた開閉軸１１（図２）のまわりに開閉可能としてある。
オープンカバー３とプリンター本体２のトップハウジング１０との間に設けた任意の開閉用ロック機構１２により、オープンカバー３およびオープンカバー３と一体開閉可能な剥離カバー４をプリンター本体２に対して閉鎖固定することができる。なお剥離カバー４は、後述するように、オープンカバーに対して分離した状態でプリンター本体２に閉鎖固定のままとする（すなわち、オープンカバー３のみがプリンター本体２に対して開閉する）こともできる。
【００２２】
図７は、ラベルプリンター１の内部におけるとくにプリンター本体２の要部を示す概略断面図で、図６および図７に示すように、プリンター本体２には、ラベル連続体Ｔの供給部１３と、印字機構１４と、剥離機構１５と、を設けるとともに、剥離発行および連続発行を切り替え可能な発行切替え機構１６をプリンター本体２、オープンカバー３および剥離カバー４の間にまたがって設けてある。
【００２３】
ラベル連続体Ｔは、帯状の台紙Ｓ上に複数枚のラベル片Ｌを仮着した構成であり、供給部１３にはこのラベル連続体Ｔをロール状に巻いて装填する。
【００２４】
印字機構１４は、前記受信モジュール６により受信した所定の印字情報にもとづき操作パネル５を操作することにより、それぞれのラベル片Ｌ上に印字を行うもので、プラテンローラー１７と、このプラテンローラー１７との間にラベル連続体Ｔを移送することによりラベル片Ｌに印字を行うサーマルヘッド１８と、ピッチセンサー１９と、を有する。
プラテンローラー１７は、これをプリンター本体２に取り付けるとともに、駆動モーター２０（図７）により回転駆動する。
サーマルヘッド１８はピッチセンサー１９とともに、これをオープンカバー３に取り付け、オープンカバー３のプリンター本体２への閉鎖によりプラテンローラー１７に所定圧力で当接する。
【００２５】
剥離機構１５は、ラベル片Ｌを台紙Ｓから剥離するもので、剥離バー２１と、転向剥離用補助ローラー２２と、を有する。
剥離バー２１は、その転向用先端部２１Ａがプラテンローラー１７の周面から突出するようにこれをプリンター本体２側に取り付け、転向用先端部２１Ａにおいて台紙Ｓを転向させることができるようになっている。
転向剥離用補助ローラー２２は、剥離バー２１の下流側に位置して剥離カバー４側にこれを取り付け、ラベル片Ｌを剥離した状態の台紙Ｓをプラテンローラー１７との間に挟んで移送可能であって、剥離バー２１との相対位置により、台紙Ｓのみを転向させ、剥離作用を行う。
この転向剥離用補助ローラー２２は、剥離カバー４にこれを取り付けてあり、剥離カバー４がオープンカバー３と一体にプリンター本体２に対して開閉されるときには、ラベル連続体Ｔをプラテンローラー１７との間に挟んで剥離発行を可能とし、剥離カバー４がプリンター本体２に固定されているときには、剥離バー２１の部分を通過したラベル連続体Ｔはこの転向剥離用補助ローラー２２の部分を通過することなく、つまり剥離作用は行われることなく連続発行が可能となる。
【００２６】
図８は、転向剥離用補助ローラー２２の剥離カバー４における取付け構成、および発行切替え機構１６の部分を示す要部拡大側面図であり、剥離カバー４に取り付けたローラーホルダープレート２３の長窓２４に転向剥離用補助ローラー２２の回転軸２５を挿入し、スプリング２６により転向剥離用補助ローラー２２をプラテンローラー１７方向に所定圧力で付勢可能としている。
【００２７】
なお図７に戻って、オープンカバー３には、ラベル発行窓２７を形成し、プリンター本体２と剥離カバー４との間には台紙排出窓２８を形成してある。
したがって、ラベル連続体Ｔは、供給部１３から印字機構１４さらに剥離機構１４の剥離バー２１の部分で台紙Ｓとラベル片Ｌが分離して、ラベル片Ｌがラベル発行窓２７に至るとともに台紙Ｓが転向剥離用補助ローラー２２を経て台紙排出窓２８に至る移送路（剥離発行移送路２９）、あるいは供給部１３から印字機構１４さらに剥離バー２１を経てラベル発行窓２７に至る移送路（連続発行移送路３０）の二種類の移送路を移送されることになる。
【００２８】
「発行形態切替え機構」としての発行切替え機構１６は、この剥離発行移送路２９および連続発行移送路３０の切替えを行って、剥離発行および連続発行のいずれかの発行形態に切り替えるもので、これをプリンター本体２、オープンカバー３および剥離カバー４にまたがって設けてある。具体的に、発行切替え機構１６は、とくに図８に示すように、切替えレバー３１（切替え操作部）と、この切替えレバー３１に形成したレバー側剥離発行用係合凹部３２（レバー側剥離発行用係合部）およびレバー側連続発行用係合凹部３３（レバー側連続発行用係合部）と、を有する。
【００２９】
切替えレバー３１は、剥離カバー４に設けたレバー回動軸３４のまわりに回動可能であり、レバー側剥離発行用係合凹部３２はオープンカバー３に設けたカバー側剥離発行用係合ピン３５（カバー側剥離発行用係合部）に係合可能で、レバー側連続発行用係合凹部３３はプリンター本体２に設けた本体側連続発行用係合ピン３６（本体側連続発行用係合部）に係合可能である。
したがって、レバー回動軸３４のまわりに切替えレバー３１を回動操作することにより、剥離カバー４をオープンカバー３あるいはプリンター本体２に選択的に係合することができる。
【００３０】
なお、図８に示すように、切替えレバー３１の連続発行状態への回動時にこの切替えレバー３１に当接するリミットスイッチ３７を設けてあり、剥離発行あるいは連続発行を検出可能とし、それぞれに応じた印字機構１４の制御を行うようになっている。
【００３１】
かくして、オープンカバー３および剥離カバー４および発行切替え機構１６などにより、ラベルプリンター１の剥離発行・連続発行切替え装置３８を構成する。
【００３２】
こうした構成を有するラベルプリンター１および剥離発行・連続発行切替え装置３８において、オープンカバー３および剥離カバー４をプリンター本体２に対して開閉操作することにより、ラベル連続体Ｔの装填および発行形態を切り替えることができる。
図９は、剥離発行の場合の側面図、図１０は、同、剥離発行移送路２９の説明図であり、図９に示すように、発行切替え機構１６における切替えレバー３１をレバー回動軸３４のまわりに時計方向に回動することにより、レバー側剥離発行用係合凹部３２をオープンカバー３のカバー側剥離発行用係合ピン３５に係合させ、剥離カバー４をオープンカバー３に固定してこれらを一体に開閉可能とする。
この状態で開閉用ロック機構１２（図６）を解除すれば、オープンカバー３の開放操作により剥離カバー４も一緒に開放され、したがって、剥離機構１５における転向剥離用補助ローラー２２もプラテンローラー１７から離れてプラテンローラー１７の周面を全面開放する。
【００３３】
供給部１３からラベル連続体Ｔを繰り出して、図６に示すようなプリンター本体２の開放面にそのまま載置し、オープンカバー３および剥離カバー４を閉鎖すると、図１０に示すように、ラベル連続体Ｔの上面側から転向剥離用補助ローラー２２がこれをプラテンローラー１７に押し付け、剥離機構１５の機能発揮を可能とするとともに、サーマルヘッド１８がプラテンローラー１７に同様に押し付けられ、印字機構１４の機能を発揮可能とし、剥離発行移送路２９（図７）を形成する。
【００３４】
したがって、駆動モーター２０の駆動によりプラテンローラー１７を回転させることによって、印字機構１４における印字作用、および剥離機構１５におけるラベル片Ｌの剥離作用が行われ、台紙Ｓから剥離されたラベル片Ｌはラベル発行窓２７から排出発行され、台紙Ｓは台紙排出窓２８から排出される。
【００３５】
図１１は、連続発行の場合の側面図、図１２は、同、連続発行移送路３０の説明図であって、図１１に示すように、発行切替え機構１６における切替えレバー３１をレバー回動軸３４のまわりに反時計方向に回動することにより、レバー側連続発行用係合凹部３３をプリンター本体２の本体側連続発行用係合ピン３６に係合させ、剥離カバー４をプリンター本体２に固定してオープンカバー３のみを開閉可能とする。
この状態で開閉用ロック機構１２を解除すれば、オープンカバー３のみが開放され、したがって、剥離機構１５における転向剥離用補助ローラー２２はプラテンローラー１７に当接状態のままでプラテンローラー１７の周面はサーマルヘッド１８側のみが露出される。
【００３６】
供給部１３からラベル連続体Ｔを繰り出して、プリンター本体２の開放面にそのまま載置し、オープンカバー３を閉鎖すると、図１２に示すように、ラベル連続体Ｔの上面側からは印字機構１４のサーマルヘッド１８がプラテンローラー１７に押し付けられ、印字機構１４の機能を発揮可能とし、剥離機構１５の機能は発揮されることなく、連続発行移送路３０（図７）を形成する。
【００３７】
したがって、駆動モーター２０の駆動によりプラテンローラー１７を回転させれば、印字機構１４における印字作用のみが行われ、剥離機構１５によるラベル片Ｌの台紙Ｓからの剥離作用は行われず、台紙Ｓに仮着されたままのラベル片Ｌ（つまりラベル連続体Ｔ）はラベル発行窓２７から排出発行される。
【００３８】
かくして、発行切替え機構１６における切替えレバー３１の切替え操作、およびオープンカバー３の開閉操作のみによって剥離発行および連続発行を簡単に切り替えることができる。
しかもオープンカバー３および剥離カバー４は、ラベル連続体Ｔの移送方向に沿った開閉軸１１のまわりに回動可能であり、オープンカバー３および剥離カバー４をプリンター本体２に対して、いわばその横位置において、開閉することによりラベル連続体Ｔの装填を可能とするので、単純な開閉操作だけで切替え操作を実行することができる。
【００３９】
なお、本発明において剥離発行および連続発行を切り替え可能な発行切替え機構は、切替えレバー３１ではなく切替えつまみを有することができる。
すなわち、図１３ないし図１５は、他の変形例による発行切替え機構４０を示すもので、図１３は、発行切替え機構４０の要部側面図、図１４は、同、拡大側面図であって、発行切替え機構４０は、切替えつまみ４１を有し、剥離カバー４に設けたつまみ回動軸４２にこの切替えつまみ４１を回動可能に取り付けてある。
【００４０】
図１５は、切替えつまみ４１の裏面図であって、切替えつまみ４１の裏面側に円弧状のつまみ側切替え用係合凸部４３（つまみ側切替え用係合部）を形成し、このつまみ側切替え用係合凸部４３は、オープンカバー４に設けたカバー側剥離発行用係合溝部４４（カバー側剥離発行用係合部）、およびプリンター本体２に設けた本体側連続発行用係合溝部４５（本体側連続発行用係合部）にそれぞれ係合可能である。
【００４１】
こうした構成の発行切替え機構４０においても、切替えつまみ４１を反時計方向に回動してつまみ側切替え用係合凸部４３をオープンカバー３のカバー側剥離発行用係合溝部４４に係合すれば、オープンカバー３および剥離カバー４を一体化することができ、既述のように剥離発行を行うようにすることができる。
【００４２】
また切替えつまみ４１を時計方向に回動してつまみ側切替え用係合凸部４３をプリンター本体２の本体側連続発行用係合溝部４５に係合すれば、剥離カバー４をプリンター本体２に一体化するとともにオープンカバー３とは分離可能であり、既述のように連続発行を行うようにすることができる。
【００４３】
【発明の効果】
以上のように本発明によれば、プリンター本体に対して開閉するカバーをオープンカバーおよび切替え操作部を備えた剥離カバーから構成するとともに、切替え操作部の操作により、前記剥離カバーを前記オープンカバーあるいは前記プリンター本体に選択的に係合する係合部を備えた発行形態切替え機構を設けたので、発行形態切替え機構の切替え操作、およびオープンカバーの開閉操作のみで、剥離発行および連続発行のずれかの発行形態に切替えを容易に行うことができる。
以上
【図面の簡単な説明】
【図１】本発明の実施の形態による剥離発行・連続発行切替え装置３８を有するラベルプリンター１の斜視図である。
【図２】同、ラベルプリンター１の平面図である。
【図３】同、ラベルプリンター１の正面図である。
【図４】同、ラベルプリンター１の側面図である。
【図５】同、ラベルプリンター１におけるプリンター本体２、オープンカバー３および剥離カバー４のハウジング構成を示す分解斜視図である。
【図６】同、オープンカバー３および剥離カバー４をプリンター本体２に対して開放した状態を示す斜視図である。
【図７】同、ラベルプリンター１の内部におけるとくにプリンター本体２の要部を示す概略断面図である。
【図８】同、転向剥離用補助ローラー２２の剥離カバー４における取付け構成、および発行切替え機構１６の部分を示す要部拡大側面図である。
【図９】同、剥離発行の場合の側面図である。
【図１０】同、剥離発行移送路２９の説明図である。
【図１１】同、連続発行の場合の側面図である。
【図１２】同、連続発行移送路３０の説明図である。
【図１３】本発明における他の変形例による発行切替え機構４０の要部側面図である。
【図１４】同、発行切替え機構４０の拡大側面図である。
【図１５】同、切替えつまみ４１の裏面図である。
【符号の説明】
１  ラベルプリンター
２  プリンター本体
３  オープンカバー
４  剥離カバー
５  操作パネル
６  受信モジュール
７  ベルト止め
８  本体ハウジング
９  バッテリーハウジング
１０  トップハウジング
１１  開閉軸
１２  開閉用ロック機構
１３  ラベル連続体Ｔの供給部
１４  印字機構
１５  剥離機構
１６  発行切替え機構
１７  プラテンローラー
１８  サーマルヘッド
１９  ピッチセンサー
２０  駆動モーター
２１  剥離バー
２１Ａ  剥離バー２１の転向用先端部
２２  転向剥離用補助ローラー
２３  ローラーホルダープレート
２４  ローラーホルダープレート２３の長窓
２５  転向剥離用補助ローラー２２の回転軸
２６  スプリング
２７  ラベル発行窓
２８  台紙排出窓
２９  剥離発行移送路
３０  連続発行移送路
３１  切替えレバー（切替え操作部）
３２  レバー側剥離発行用係合凹部（レバー側剥離発行用係合部）
３３  レバー側連続発行用係合凹部（レバー側連続発行用係合部）
３４  レバー回動軸
３５  カバー側剥離発行用係合ピン（カバー側剥離発行用係合部）
３６  本体側連続発行用係合ピン（本体側連続発行用係合部）
３７  リミットスイッチ
３８  ラベルプリンター１の剥離発行・連続発行切替え装置（実施の形態）
４０  発行切替え機構（他の変形例）
４１  切替えつまみ
４２  回動軸
４３  切替えつまみ４１のつまみ側切替え用係合凸部（つまみ側切替え用係合部）
４４  オープンカバー３のカバー側剥離発行用係合溝部（カバー側剥離発行用係合部）
４５  プリンター本体２の本体側連続発行用係合溝部（本体側連続発行用係合部）
Ｔラベル連続体
Ｓ  台紙
Ｌラベル片
【図１】
0004152481.tif 000002
【図２】
0004152481.tif 000003
【図３】
0004152481.tif 000004
【図４】
0004152481.tif 000005
【図５】
0004152481.tif 000006
【図６】
0004152481.tif 000007
【図７】
0004152481.tif 000008
【図８】
0004152481.tif 000009
【図９】
0004152481.tif 000010
【図１０】
0004152481.tif 000011
【図１１】
0004152481.tif 000012
【図１２】
0004152481.tif 000013
【図１３】
0004152481.tif 000014
【図１４】
0004152481.tif 000015
【図１５】
0004152481.tif 000016